(57)【特許請求の範囲】
【請求項１】
扉に固定される錠と、Ｔ字型ハンドルを形成するように三方へ延びる鍵とからなり、前記錠は、前記扉に固定されて前記扉の前面から後面へ向かう方向へ延びるシリンダ挿入孔を備えたハウジングと、前記シリンダ挿入孔に回転可能に納まるシリンダと、前記ハウジングとシリンダとの間に介在してばね付勢下に前記シリンダの回転を阻止するように作用するロックピンとを有し、前記ハウジングは前記扉の前面側に位置する前方部分に前記シリンダ挿入孔へつながる鍵穴を有し、前記シリンダはその前端部が前記鍵穴の内部において前記鍵と嵌合可能に形成される一方、後端部に前記扉が取り付けられた固定枠に対して係脱する施錠部材を取り付け可能に形成され、前記Ｔ字型を成して三方へ延びる前記鍵は第１，２，３端部からなる三つの端部を有し、そのうちの第１端部が前記ハウジングの鍵穴へ進入して前記シリンダを回転させることができるように前記シリンダの前端部と嵌合可能に形成されている施錠装置において、
前記鍵の第１端部は、外形が円を成し、その円の周面に径方向外方へ延びる少なくとも一つの突出部を有し、前記ハウジングの鍵穴は前記鍵の第１端部と相似の円を成し、その円の周面に前記突出部の進入を可能にする切欠き案内溝を有しており、前記鍵の第２端部は前記切欠き案内溝に案内されることなく前記鍵穴へ進入し得るように外形が長円を成し、かつ、前記シリンダの前端部に嵌合可能に形成されていることを特徴とする前記施錠装置。
【請求項２】
前記ロックピンは、前記ハウジングの後方から前方へ向かってばね付勢されて前記シリンダとは前記シリンダの周り方向においてシリンダの周面と係合することにより前記シリンダの回転を阻止し、前記鍵の第１端部は前記鍵穴へ進入すると、前記ロックピンに前方から衝接して前記ロックピンを前記ばね付勢に抗して後退させて前記シリンダの周面との係合を解除させる請求項１記載の施錠装置。
【請求項３】
前記シリンダの周面と前記周面と係合する前記ロックピンとの間には、前記シリンダの僅かな回転を許容する間隙が存在する請求項１または２記載の施錠装置。
【請求項４】
前記鍵の第２端部が前記シリンダの前端部に嵌合する深さは、前記第１端部の嵌合する深さより浅く、前記第２端部によっては前記ロックピンと前記シリンダの周面との係合を解除させることのない請求項１〜３のいずれかに記載の施錠装置。
【請求項５】
前記ロックピンは前記シリンダの周り方向ヘ複数個配置され、前記第２端部はその外形が長円を成していて、前記シリンダの前端部と嵌合したときに、前記周り方向において前記ロックピンとロックピンとの間に位置して前記ロックピンに前方から衝接することがない請求項１〜３のいずれかに記載の施錠装置。
【請求項６】
前記鍵は、前記第１端部を前記鍵穴へ進入させて前記シリンダとともに、前記シリンダの周り方向へ回転させると、前記突出部が前記鍵穴周縁部の後方に位置して前記鍵が前記鍵穴から抜脱不能となる請求項１〜５のいずれかに記載の施錠装置。
【発明の詳細な説明】
【０００１】
【発明の属する技術分野】
この発明は、錠と鍵とからなる施錠装置に関する。
【０００２】
【従来の技術】
従来、施錠装置の一つとして、扉に固定した錠の前面に鍵穴を設け、その鍵穴に進入させた鍵によって錠内部のシリンダを回転させて施錠・解錠を行う施錠装置はよく知られている。こうした施錠装置の多くでは、鍵の向きを鍵穴の形状と一致させることによって、鍵が鍵穴へ進入できるように作られている。
【０００３】
【発明が解決しようとする課題】
前記従来の施錠装置において、錠の内部でシリンダの動きに遊びがあって、シリンダが僅かながらでも回転して所定の位置からずれると、鍵穴によって向きを規制された鍵はシリンダと嵌合することがなく、鍵の操作によってシリンダを回転させることができないという場合がある。いうまでもないことながら、そうした場合には、施錠したり解錠したりすることができない。
【０００４】
この発明では、そのような施錠装置においても、鍵によってシリンダを回転させることができるように、改良を施すことが課題である。
【０００５】
【課題を解決するための手段】
前記課題解決のためのこの発明が対象とするのは、扉に固定される錠と、Ｔ字型ハンドルを形成するように三方へ延びる鍵とからなり、前記錠は、前記扉に固定されて前記扉の前面から後面へ向かう方向へ延びるシリンダ挿入孔を備えたハウジングと、前記シリンダ挿入孔に回転可能に納まるシリンダと、前記ハウジングとシリンダとの間に介在してばね付勢下に前記シリンダの回転を阻止するように作用するロックピンとを有し、前記ハウジングは前記扉の前面側に位置する前方部分に前記シリンダ挿入孔へつながる鍵穴を有し、前記シリンダはその前端部が前記鍵穴の内部において前記鍵と嵌合可能に形成される一方、後端部に前記扉が取り付けられた固定枠に対して係脱する施錠部材を取り付け可能に形成され、前記Ｔ字型を成して三方へ延びる前記鍵は第１，２，３端部からなる三つの端部を有し、そのうちの第１端部が前記ハウジングの鍵穴へ進入して前記シリンダを回転させることができるように前記シリンダの前記前端部と嵌合可能に形成されている施錠装置である。
【０００６】
かかる施錠装置において、この発明が特徴とするところは、次のとおりである。前記鍵の第１端部は、外形が円を成し、その円の周面に径方向外方へ延びる少なくとも一つの突出部を有する。前記ハウジングの鍵穴は、前記鍵の第１端部と相似の円を成し、その円の周面に前記突出部の進入を可能にする切欠き案内溝を有する。前記鍵の第２端部は、前記切欠き案内溝に案内されることなく前記鍵穴へ進入し得るように外形が長円を成し、かつ、前記シリンダの前端部に嵌合可能に形成されている。
【０００７】
この発明には、次のような好ましい実施態様がある。
（１）前記ロックピンは、前記ハウジングの後方から前方へ向かってばね付勢されて前記シリンダとは前記シリンダの周り方向においてシリンダの周面と係合することにより前記シリンダの回転を阻止し、前記鍵の第１端部は前記鍵穴へ進入すると、前記ロックピンに前方から衝接して前記ロックピンを前記ばね付勢に抗して後退させて前記シリンダの周面との係合を解除させる。
（２）前記シリンダの周面と前記周面と係合する前記ロックピンとの間には、前記シリンダの僅かな回転を許容する間隙が存在する。
（３）前記鍵の第２端部が前記シリンダの前端部に嵌合する深さは、前記第１端部の嵌合する深さより浅く、前記第２端部によっては前記ロックピンと前記シリンダの周面との係合を解除させることがない。
（４）前記ロックピンは前記シリンダの周り方向ヘ複数個配置され、前記第２端部はその外形が長円を成していて、前記シリンダの前端部と嵌合したときに、前記周り方向において前記ロックピンとロックピンとの間に位置して前記ロックピンに前方から衝接することがない。
（５）前記鍵は、前記第１端部を前記鍵穴へ進入させて前記シリンダとともに、前記シリンダの周り方向へ回転させると、前記突出部が前記鍵穴周縁部の後方に位置して前記鍵が前記鍵穴から抜脱不能となる。
【０００８】
【発明の実施の形態】
添付の図面を参照して、この発明に係る施錠装置の詳細を説明すると、以下のとおりである。
【０００９】
図１は、使用状態にある施錠装置の斜視図である。かかる施錠装置は、錠１と鍵２とからなり、図では、鍵２が錠１から外された状態で示されている。錠１は、扉３に固定され、扉３の前面側に鍵穴４を有し、扉３の後面側に爪金具６を有する。図において、鍵２を鍵穴４に進入させて図の時計方向へ回転させると、爪金具６が矢印で示される時計方向へ旋回し、扉３が取り付けられている固定枠（図示せず）と爪金具６との係合が解けて施錠装置が解錠状態になり、扉３を開けることができる。次に、鍵２を反時計方向へ回転させると、爪金具６が反時計方向へ旋回して固定枠に係合し、施錠状態になる。
【００１０】
図２，３，４は、錠１の正面図と、側面図と、図２のＩＶ−ＩＶ線断面図とであって、図２では錠１が扉３に固定された状態にあり、図３では錠１の内部機構のみが示されている。錠１は、スプリングワッシャー１０とナット１１とを介して扉３に固定されるハウジング９と、ハウジング９のシリンダ挿入孔１３に回転可能に納まるシリンダ１４と、扉３の後面から前面へ向かう方向へばね１６によって付勢されている４本のロックピン１７とを有する（図１を併せて参照）。ハウジング９は、扉３の前面側に鍵穴４とフランジ１８とを有し、フランジ１８が扉３に密着している。ハウジング９はまた、扉３の後面側へ延びるねじ部１９を有し、ここにはナット１１が螺着している。鍵穴４は円形であって、上下方向に一対の切欠き案内溝２１を有する。鍵穴４の内側には、鍵穴４よりも径の大きなスペース２２が形成されている。
【００１１】
シリンダ１４は、その前端部２３がスペース２２に納まり、前端部２３の周縁部分２４がハウジング９の一部分２６に前方から摺動可能に密着している。前端部２３は、図２で明らかなように、円形に作られているものであるが、その周縁部分２４には、上下方向への一対の突出部２７ａと、左右方向への一対の突出部２７ｂとが形成されている。突出部２７ａは、ハウジング９の切欠き案内溝２１と整列状態にある。シリンダ１４の後端部２８では、Ｏ−リング２９を介してハウジング９の内側に水密状態で接触し、止め輪３１によって抑え板３２をハウジング９の一部３３に密着させることで、シリンダ１４がハウジング９の前方へ抜けることを防いでいる。後端部２８のうちでハウジング９から延出する部分３０は断面が方形を成し、ここには、座金付きねじ３３と角穴ワッシャ３６とを使用して、回転角度規制盤３４がシリンダ１４とともに回転するように、爪金具６がシリンダ１４とともに旋回するように取り付けられている。
【００１２】
ロックピン１７は、ばね１６に付勢されて錠１のスペース２２の前面部３７から前方へ突出し、ロックピン１７の前面３８の一部分３８ａがシリンダ１４の周縁部分２４に後方から圧接している。前面３８のうちの残余の部分３８ｂは、シリンダ１４の周縁部分２４の外側に位置している。
【００１３】
図５，６，７は、鍵２の部分破断側面図と、その側面図におけるＶＩ−ＶＩ線部分矢視図と、ＶＩＩ−ＶＩＩ線部分矢視図とである。鍵２は、ほぼＴ字型を成して三方ヘ延びるハンドル形状のものであって、図において水平方向へ延びる鍵部４１と、垂直方向へ延びる握持部４２とを有し、これら各部４１，４２には端部４３，５０，５１が形成されている（図１を併せて参照）。鍵部４１の端部４３は、外形が円を成し、図の上下方向へ延びる一対の突出部４４を有する。端部４３はまた、内側に円形の凹部４６を有し、凹部４６の周面には、上下方向へ延びる一対の溝部４７ａと、左右方向へ延びる一対の溝部４７ｂとが形成されている。かような端部４３の外形は鍵穴４と相似であって、突出部４４を鍵穴４の切欠き案内溝２１に一致させると、端部４３が鍵穴４へ進入し、凹部４６と溝部４７ａ，４７ｂとの内側にシリンダ１４の前端部２３と突出部２７ａ，２７ｂとが納まることによって鍵２とシリンダ１４とが嵌合する。凹部４６は深さＤを有し、その深さはまた、端部４３が、その前端４８でロックピン１７の前面部分３８ｂを前方から押圧し、ロックピン１７をばね１６の付勢に抗してハウジング９のスペース２２における前面部３７にまで後退させることができるように深く作られている。
【００１４】
図７は、鍵２における握持部４２の端部５１を示している。図１，５を併せて参照することによって明らかなように、端部５１は、その外形が長円を成していて鍵穴４へ進入可能であり、シリンダ１４の円形の前端部２３の一部分および前端部２３における一対の突出部２７ａを内側へ納めるようにシリンダ１４と嵌合する凹部５２および凹部５２につながっていて図７において左右方向へ延びる一対の案内溝部５３を有する。かような端部５１は、端部４３と異なり、鍵穴４における切欠き案内溝２１との位置合せが必要となるような突出部を持たないから、鍵穴４に対しては格別の位置合せを必要とすることがなく、自由に進入・退出できる。ただし、進入したときに、案内溝部５３とシリンダ１４の突出部２７ａとが一致すれば、シリンダ１４における前端部２３の一部分が凹部５２の内側へ嵌合する。凹部５２は、深さｄを有し、その深さｄは凹部４６の深さＤよりも浅く、前端部２３が凹部５２へ嵌合したときにロックピン１７をハウジング９におけるスペース２２の前面部３７（図４参照）にまで後退させることがないように作られている。凹部５２の幅（図７の上下方向の寸法）は、シリンダ前端部２３の径よりも小さいから、前端部２３が凹部５２へ嵌合したときに、前端部２３の一部分は凹部５２の外側に位置する。端部５１は、その外形が長円ではなくて円を成していてもよいが、シリンダ１４との嵌合状態を観察することができるようにするために、図示例の如く長円であることが好ましい。このように作用する握持部４２の端部５１は、シリンダ１４の一対の突出部２７ａに代えて、一対の突出部２７ｂを内側へ納めることも可能である。また、端部５１において、深さｄを凹部４６の深さＤと同程度に深くするときには、図７において案内溝５３を挟んで上下に位置する端部５１の部分５５が図２において突出部２７ａを挟んで周方向で隣り合っているロックピン１７と１７との間に納まるようにする。このような部分５５は、ロックピン１７を押すことがない。
【００１５】
このように形成された錠１と鍵２とでは、鍵穴４に進入した鍵２の溝部４７ａ、４７ｂのそれぞれに、シリンダ１４の突出部２７ａ、２７ｂが嵌合していれば、鍵２が時計方向または反時計方向へ回転することに伴い、爪金具６が鍵２と同じ方向へ旋回して、扉を施錠状態または解錠状態にすることができる。鍵２が回転する角度は、シリンダ１４が回転する角度および爪金具６が旋回する角度でもあって、これらの角度は、回転角度規制盤３４がシリンダ１４とともに時計方向または反時計方向へ回転して盤３４の一部分、例えば図３の一部分３４ａがハウジング９の後端部における所要部位、例えば図３の部位９ａに衝接することによって規制される。このような角度規制方法は周知技術であるから、その詳細説明は省略する。
【００１６】
図８は、図４のＶＩＩＩ−ＶＩＩＩ線断面図である。シリンダ１４は、その周面に湾曲面からなる４つの凹部６１を有する。凹部６１のそれぞれにはロックピン１７の一部分が納まり、シリンダ１４が回転しようとすると凹部６１の周面がロックピン１７に側方から衝接してその回転が阻止される。しかし、凹部６１の曲率半径は、円柱状のロックピン１７の半径よりも僅かに大きく、凹部６１とロックピン１７との間には間隙６２が存在する。かかる間隙６２の存在によって施錠装置の製作・組立が容易になる。
【００１７】
図９は、シリンダ１４が互いに直交する中心線Ｃ１，Ｃ２に対して時計方向へ角度Ａだけ自由回転した状態を示す図８と同様な図面である。シリンダ１４は、図８における間隙６２の存在によって、施錠状態または解錠状態にあるときの所定の位置からロックピン１７に衝接するところまで、換言すると角度Ａだけ回転することがある。そのように回転したシリンダ１４では、一対の突出部２７ａと鍵穴４の一対の切欠き案内溝２１との間の中心線Ｃ１における整列状態（図８参照）が崩れる。そのために、鍵穴４の切欠き案内溝２１に案内されて鍵穴４へ進入する鍵２では、シリンダ１４の一対の突出部２７ａと鍵２の上下一対の溝部４７ａとが嵌合しないから、鍵２によってシリンダ１４を回転させることができない。しかるに、この発明における鍵２では、握持部４２の端部５１が鍵穴４へ進入可能に作られており、その進入には鍵穴４の切欠き案内溝２１との位置合せが不要であるから、この端部５１を鍵穴４へ進入させて、端部５１における凹部５２と一対の案内溝部５３とに案内溝２１との整列状態が崩れたシリンダ１４の前端部２３と一対の突出７２ａとを嵌合させることができる。端部５１をかように嵌合させた鍵２を図８における反時計方向へ回転させることによって、シリンダ１４の位置を矯正し、一対の突出部２７ａと鍵穴４の一対の切欠き案内溝２１とを図２の整列状態に戻すことができる。反時計方向へ回転させたシリンダ１４は、延出部３０に取り付けた回転角度規制盤３４がハウジング９における後端部の所要部位に衝接したところで停止する。その後に、鍵２を鍵穴４から抜いて、鍵部４１の端部４３を鍵穴４へ進入させれば、鍵２とシリンダ１４とが嵌合して施錠・解錠が可能になる。なお、鍵２では、端部５１をシリンダ１４に嵌合させても、端部５１は、凹部５２の深さｄが浅いか、または部分５５がロックピン１７と１７との間に納まるように作られているから、その端部５１でロックピン１７をハウジング９における前面３７にまで後退させることができない。それゆえ、この端部５１を使用しても、錠１は施錠または解錠されることがない。
【００１８】
この発明において、鍵穴４の切欠き案内溝２１に案内されて鍵穴４へ進入した鍵２はそれを回転させると端部４３の突出部４４が鍵穴４の周縁部内面６１の後方、即ち図４において仮想線で示すように内面６１の右方に位置することとなり、鍵２は、鍵穴４から抜けない状態になる。かような状態の鍵２は、扉３を開閉するときのハンドルとして使用することができる。
【００１９】
この発明は、図示例の他に、鍵２の突出部４４を１つまたは３つ以上にし、それに対応するように鍵穴４の切欠き案内溝２１を１つまたは３つ以上にして実施することができる。
【００２０】
【発明の効果】
この発明に係る施錠装置は、鍵の一端部に鍵穴へ自由に進入して、鍵穴に形成された案内溝との整列状態が崩れたハウジング内のシリンダの前端部と嵌合し、このシリンダの位置を整列状態に戻すことができる矯正機能を持つから、鍵穴内部でシリンダの位置が案内溝からずれても施錠や解錠ができなくなるということがない。
【図面の簡単な説明】
【図１】使用状態にある施錠装置の斜視図。
【図２】錠の正面図。
【図３】錠の側面図。
【図４】図２のＩＶ−ＩＶ線断面図。
【図５】鍵の部分破断側面図。
【図６】図５のＶＩ−ＶＩ線部分矢視図。
【図７】図５のＶＩＩ−ＶＩＩ線部分矢視図。
【図８】図４のＶＩＩＩ−ＶＩＩＩ線断面図。
【図９】シリンダが所定の位置からずれた状態にある図８と同様の図面。
【符号の説明】
１      錠
２      鍵
３      扉
４      鍵穴
６      施錠部材（爪金具）
９      ハウジング
１３      シリンダ挿入孔
１４      シリンダ
１６      ばね
１７      ロックピン
２１      切欠き案内溝
２３      前端部
２８      後端部
４３      第１端部
４４      突出部
５０      第３端部
５１      第２端部
６２      間隙
Ｄ      深さ
ｄ      深さ
【図１】
0003828797.tif 000002
【図２】
0003828797.tif 000003
【図３】
0003828797.tif 000004
【図４】
0003828797.tif 000005
【図５】
0003828797.tif 000006
【図６】
0003828797.tif 000007
【図７】
0003828797.tif 000008
【図８】
0003828797.tif 000009
【図９】
0003828797.tif 000010